(57)【要約】  ２つの開口部（１、１０）を装備して、減らされた薄さのいくらかの範囲の外側表面を持ち、放射状の断面のそれぞれ１つからなる。それは、曲げやすい材料ででこぼこの平行な周囲溝（１４）により定義された第一ストレッチ部（５）を含む。道具、特にドライバが用いられて、その開口部の１つを通してまたは、組み込まれたマグネット（８）によって働かされた磁力を通して、随意に、ドライバのネジの頭の結合を促す。同様に、シャーペンやボールペンプラスチックのような筆記用具に適用され得る。
2014514171.tif 000002
【特許請求の範囲】
【請求項１】
取り外し可能な管状保持部材は、
内側の第１キャビティ（３）からはじまる第１開口部（１０）と、
内側の第２キャビティ（２）からはじまる第２開口部（１）とを含み、
さらに、その半径方向断面において、それぞれ一定な厚みの幾つかのストレッチ部からなる外表面を含み、
曲げやすい物質からなり、周囲溝（１４）により定義された顕著なでこぼこ形状の第一ストレッチ部（５）と、
中間ストレッチ部（６）と、
周囲溝（９）を有する末端ストレッチ部（７）とを含んでいることを特徴とする取り外し可能な管状保持部材。
【請求項２】
上記周囲溝（９）は、ジョイント（１１）を収容することを特徴とする請求項１に記載の取り外し可能な管状保持部材。
【請求項３】
上記第１キャビティ（３）においてベンド（１２）が形成され、このベンド（１２）が、ねじ（１３）の頭との連結を円滑にするために、中間キャビティ（４）に到達するまで上記第１キャビティ（３）の拡大を決定することを特徴とする請求項１に記載の取り外し可能な管状保持部材。
【請求項４】
上記第２キャビティ（２）に、マグネット（８）が収容されていることを特徴とする請求項１または２に記載の取り外し可能な管状保持部材。
【請求項５】
上記マグネット（８）は、管状の筒型構造であることを特徴とする請求項４に記載の取り外し可能な管状保持部材。
【請求項６】
上記マグネット（８）の内側に形成されたベアリング（１７）を追加したことを特徴とする請求項４または５に記載の取り外し可能な管状保持部材。
【請求項７】
上記マグネット（８）は、第２キャビティ（２）に固定されていることを特徴とする請求項４に記載の取り外し可能な管状保持部材。
【請求項８】
上記第２キャビティ（２）に隣接した別のキャビティ（１６）を追加したことを特徴とする請求項７に記載の取り外し可能な管状保持部材。
【請求項９】
上記第１キャビティ（３）は、断面略６角形であることを特徴とする請求項１に記載の取り外し可能な管状保持部材。
【請求項１０】
上記第１キャビティ（３）は、上記第２キャビティ（２）の直径よりも小さな直径の円筒断面形状であることを特徴とする請求項１または３に記載の取り外し可能な管状保持部材。
【請求項１１】
上記でこぼこストレッチ部（５）は、凸状構造を有していることを特徴とする請求項１に記載の取り外し可能な管状保持部材。
【発明の詳細な説明】
【発明の詳細な説明】
【０００１】
〔発明の目的〕
本発明は、道具に使用される取り外し可能な管状保持部材に関し、特に、シャープペンシルやボールペンのような筆記用具ばかりではなく、ドライバ（ねじ回し）のような道具に使用できる取り外し可能な管状保持部材に関する。
【０００２】
本発明の目的は、開口部の一つに貫通させて、そして、必要に応じて、ネジの締め付けを円滑にするために、管状部材に組み込まれた磁石によって作用する磁力を用いて、ドライバとネジ頭との結合を円滑にするドライバに適合できる管状部材を構成することである。同様に、棒の先端あるいはギザギザ部分の近くでのネジ締め、ネジ緩めにおけるトルクと精度を向上させることに寄与するドライバの操作を可能にする管状部材を提供することである。
〔背景技術〕
道具、特にドライバに関する分野において、先端に磁気化された材料の使用が、ネジの頭をグリッピングを円滑にするこが知られている。故に、ドライバによる回転操作は、ネジの頭を適切な位置に維持するために使用された磁気化された材料によって円滑になる。このようなタイプのドライバは、ネジの位置の安定性を保証し、ネジを適切な位置に維持するために操作者の他方の手の使用を必要としないような吸引力を十分でないという欠点を一般に有している。
【０００３】
この欠点を解決するためのいくつかの解決策が知られている。特許出願（DE202004016173）には、棒に組み込まれ、ネジの吸引力を容易にするキャップの形をした先端に磁石を有し磁気スクリューホルダーが開示されている。しかしながら、このスクリューホルダーは分離できない。何故なら、本体が堅く、ドライバとスクリューホルダーとの接続を確立するための結合手段の使用を要求するためである。この全ては、アレイのコストを増やす。
【０００４】
別の解決策を含んだ特許出願（WO2008043514）は、硬質プラスチック管状部材を権利主張している。この硬質プラスチック管状部材は、円筒状の棒のドライバのみに適合できる。そして、硬質プラスチック管状部材は、ねじるための手段によって、ネジ頭のくぼみの深さに磁石の位置を合わせるため、特定の位置において、ドライバの棒に接続を確立する固定部材に備え付けられる。この固く締めるモードは、動作条件として、その元の位置に戻る動作が要求されるとき、不利である。
【０００５】
特許出願（DE102009003404）において、ドライバのロッド（棒）においてスライドすることによりそれの結合のため管状構成を持つ非磁気化スクリューファインダーが開示されている。それは、エラストマープラスチック製で、別の材料、すなわち硬質プラスチック物質製の短い突起部あるいはつめを有している。上記短い突起部あるいはつめは、一端から広がり、そして、ネジ頭をホールドするために考案された。これらの短い突出部は、システムが複雑になり、分厚くなり、操作しにくくなる原因となり、ネジの頭と短い突出部との間の部分的な接触のため、ネジは容易にぐらぐらする。
【０００６】
他の管状グリッピング部材は、一般的に金属で弾力的な短い突出部、それらの端近くで棒に結合し拡がる、位置の不安定が起こるため不適当な解決策に帰着する、堅く円筒状の本体構成を有し、低いまたはゼロの電気的絶縁材を有する。
【０００７】
他の装置は、ドライバのハンドルそのものから、作動されるように棒全体にそって配置される。これは、ユーザーの十分な器用さと、ドライバへの装置の結合が非常に高価になることを要求する。
【０００８】
これらの例の全ては、一方の端で棒に固定し、他方の端でスクリューに固定することにおいて、単純な操作感覚を有している。
【０００９】
筆記用具の技術分野において、幾つかの管状保持部材は、筆記用具、特に鉛筆にスライドさせて装着されることが知られている。しかし、一般に、それれは、とても厚くてソフト、非均一な厚みと様々な幾何学形状を有している。それらは、ほとんどのユーザーにとっては本当に非現実的で非人間工学的である、ユーザーが右利き又は左利きかに依存して使用が制限される多くの場合において、一般的に、子供達の筆記問題における姿勢修正器として用いられる。特に、そのサイズにかかわらず指をただ一つの位置に選定するように子供をサポートするための姿勢修正機器として用いられる。例として、特許出願（US5143463）を挙げることができる。
【００１０】
ボールペンの場合において、グリップ部材の使用も、筆記中にそれの操作と扱いを容易にすることで知られている。これらの部材は、固定されていて、ボールペンそれ自身の構造に組み込まれる。
〔発明の詳細〕
本発明は、管状構成のグリップ部材に関する。グリップ部材は、曲げやすいプラスチックまたは、ラバー材料からなり、好ましい形態として異なる直径の２つの開口部が形成され、開口部は異なる用途を有している。その開口部の１つでネジの頭をつなぐことによって、または、管状部材に組み込まれたマグネットの追加の共同によって任意に磁力を通して、ねじる、ゆるめる操作の実行中ドライバの先端とネジの頭との間の連結が確定できるようドライバの棒にはめ込まれるグリップ部材としてドライバの使用が主な特徴である。
同様に、管状部材その使用中ドライバの先端近くを正確に締めることを容易にする。
【００１１】
この管状部材の材料の柔軟性により、異なるドライバの棒で管状部材を使用できるばかりでなく、組立と取外しを可能にし、その交換を容易にしている。それらが、六角形の筒状、または電気的に絶縁されたかどうか、色々な点で、一般にＶＤＥと呼ばれ、そして、以下、それらをＶＤＥと称する。
【００１２】
グリップ部材は、放射状の断面のそれぞれにおいて、減縮され、不均一な厚みの外側表面をもち、その使用中の疲労を減らし、操作するのに十分容易なグリップを提供するため、棒に対して全ての方向に均等でわずかに放射状に突出し、量を減らされている棒への十分な適応を可能にしている管状構成を有している。
【００１３】
グリップ部材の外側表面は、回転中それを留めることを容易にし、むしろ、周囲の溝により定義される、でこぼこのある質感の伸縮性を示す。
【００１４】
ドライバ上の、棒の先端近くでのネジ締め、ネジ緩めにおけるトルクと精度を向上させることに貢献している、この管状部材により提供される追加のグリップ機能は、他方の手でドライバのハンドルを握っている間、この管状部材上の１つの手の指を用いることができることを可能にする。これは、この部材を含まず、ハンドル上の１つの手で保持できるという、ドライバの便利な使用に関する利点である。
【００１５】
他方、グリップ部材は、弾力性のある材料からなり、ストレッチ素材の一部において、棒の直径よりも小さい内径を有している。それ故、結合と、棒への適合が、弾性変形を通し、そして、ある量の圧力によって保証される。従って、望ましい位置でその固定まで棒にそってわずかな抵抗でグリップ部材の移動を可能にする、ということを強調するべきである。
【００１６】
他方、セクションの１つで前述の周囲溝の結合は、グリップ部材が、棒に近づいて／離れて前記部材の配置または移動の間それの移動を容易にするバネ効果を持つことを許可し、本質的に、前述のパラグラフで記載された直径における差によって生じる抵抗効果によってわずかな困難を生じる。
【００１７】
組み込なれたネジが、ねじる、または緩める操作を十分に容易にする、ドライバで固定され配置される位置を定められるように、管状部材の開口部の１つは、少なくとも、ドライバの先端に対して方向を持ったネジの頭にそれの結合をするため第１キャビティで内部へ拡がるということを提供する。同様に、管状部材は、上記開口部とは反対の端の位置にその他の開口部を有し、異なる直径のネジの頭で結合するため、異なる直径の第二の内側のキャビティで拡がる。それゆえ、１つの管状保持部材は、それが固定されていることになっているネジの頭の直径によりよく適合するのに直接用いるか、あるいは、あべこべに用いてもよい。
【００１８】
第１キャビティは、曲げるまで開口部と同じ直径を持つことができ、そこからこの内側のキャビティは広くなり、この屈曲は、いったんはめ込まれたネジの頭の固定を容易にする保持システムを構成する。他方で、第２の内側のキャビティへ対応する外側表面において、前記キャビティの内側のある深さの限度を超えた後、管状部材は軽い圧力でネジの頭に結合されるとき、ネジの保持を容易にする弾力のあるジョイントを収容し周囲溝を合併することを提供する。このジョイントは、異なる特色を持ち、同様に、特徴的であるか同一の部材で構成されてもよい。
【００１９】
第１キャビティの屈曲と第２のキャビティの周囲の溝に収容された弾力ジョイントの両方とが、上述されたように、それを管状部材の２つの端のどちらかを通して差し込むとき、ネジ保持システムとして考案されるだけでなく、弾力によりそれの自由度が認められる、特別な特徴がさらに表示される完全な回転を適用するとき、前述のパラグラフで述べられているように、ねじる面に対して近づき、それに対して圧力を加え、それのスライドする能力のおかげで棒上のオリジナルの位置から収縮する、ということを言及すべきである。
【００２０】
一般に、グリップ部材は、特定の棒の直径に装備された、例えば、ｐｈ１タイプ用と前記ドライバで用いられたネジ用として、または、ドライバの別のタイプ用に必要な大きさにしてもよく、例えば、異なる棒の直径をもつｐｈ２と前記モデルで用いられ得るネジ用として、ドライバモデルに適用できる寸法で考案されているということを考慮に入れられる。
【００２１】
ドライバに結合された管状保持部材は、ドライバの開口部での直接の接触からそれを保護して、表面に単純に位置を占めるとき、同様に、ドライバの位置の安定性を与える。そのうえ、管状オブジェクトが主に、曲げやすいプラスチック材料からなるという事実のため、研究室、コンピュータワークショップ、金属と塗料のワークショップ、そして大工のワークショップのような、主に巧妙な働く環境において、取扱いが妨げられたとき、道具を取り巻く、どんな材料、部品、または、対象へもダメージを与える。
【００２２】
管状部材は、人の指をサポートする部材としてそれを使うか、ねじるエリアの鮮明度を増やすか、アクセス困難な場所で働けるかどうか、希望する位置まで棒に沿ってスライドすることができる。
【００２３】
本発明の管状保持部材オブジェクトは、中間のまたは高い電圧の電気的な用途では、プラスチックまたは断熱版の材料で覆われた金属の棒を持有するドライバが用いられる。この場合、プラスチック材料からなるグリップ部材は、可能な放電に対してより大きい保護するために、金属の先端を部分的にまたは完全に覆うために用いられる。
【００２４】
より望ましい解決によって、第二の内側のキャビティは、ドライバの先端でネジの頭の結合と位置決めのため接着され、そこに収容され固定されたマグネットを持つ。このマグネットはむしろ、管状の円筒形状の構成を持つ。以前に述べたように、グリップ部材の他の開口部はマグネットを欠き、使用された開口部に依存して用途の広いグリップ部材の使用を提供している、これにより、ネジの頭でそれの直接の結合のため用いられるだろう。それゆえ、直接にまたはあべこべに、発明のオブジェクトを用いて、他のもので保持しようとするとき、特に実用的である磁気を帯びたネジホルダーまたは、機械式のネジホルダーを有し、非マグネットの材料のネジ、例えば、チタン、ステンレススチール、アルミニウムまたはプラスチックをホルダーとして用いる。
【００２５】
機械のネジホルダーとして管状部材の出願においてネジの頭の固定を補助する上述のジョイントは、磁気を帯びたネジホルダーとして管状部材を適用するケースのため、前記ジョイントは、マグネットの留め具を強化するのに有効である。
【００２６】
他方、管状部材の柔軟性で結合された、マグネットの引き付ける力である磁力はネジホルダーの位置を調整することなく、ドライバの口へネジの頭のくぼみの位置的な調整を用にする。これにより、管状部材の牽引力または加圧のためわずかな変形を可能にしていることを主張する。この特別な特徴は、例えば、皿頭の、高くなった頭、平らな頭と円筒状の頭のネジ、他のもので、さらに、道具の傾きの軸をはずして置き、または、傾かせるネジの頭の異なるサイズ、度量とタイプへ適応させるため特に有益である。
【００２７】
磁化されたドライバとは違って、マグネットを備えたグリップ部材は、表面の磁化されたエリアを増加させ、これにより、優れたグリップ抵抗力を生じさせ、安定した姿勢と、棒とネジとを同一線上に配置させる。
【００２８】
管状部材が、磁気化されたネジホルダーまたは機械式のネジホルダーに適用されるかどうか、その柔軟性と移動のしやすさのおかげで、ドライバのぎざぎざが隠されるように、取り外され、適用されまたは、配置されてもよいということを強調すべきである。
【００２９】
別の可能な適用において、管状部材は、ドライバと共同して、この状況においてハンマーによる釘の強打は、人の手でそれを保持することなく容易にされるように、マグネットの磁力によって垂直に整列された釘の固定部材からなってもよい。同様に、管状部材は、単独でハンマーへ結合され得、ハンマーを保持しないで、手で用いられるため、マグネットによって働く磁力により釘を配置するため、単独でハンマーへ結合される。
【００３０】
ネジや釘のグリップまたはネジのホールドを円滑にするだけでなく、補助するのみでなく、金属の部材へ連結されたマグネットの動きを通して、さかさまにつるされた道具を連結して扱うための道具に結合されるように使用するという、道具に関連づけられた、マグネットの結合から引き出された管状部材の複数の用途がある。
【００３１】
本発明の管状保持部材オブジェクトは、非常にわずかな器用さと困難性で他方の手の指を用いて、その構成と力において磁化された物質が欠如しているのでその落下を避けて保持することができない、いわゆるソケットスパナまたはボックススパナでナットを差し込むことからなる通常の操作を行う場所である、アクセスが難しい場所であっても、マグネットの力のおかげで、最初に正しく配置することと、ボルトにおけるナットをドライバすることを円滑するためドライバへ結合するため用いられてもよい。
【００３２】
補足として、追加の可能性として以下のことが考えられる。管状保持部材は、例えばマグネットのキャビティに位置しているプラスチックまたは金属の材料であるベアリングを組み込む。これにより、ドライバによって受ける落下からの打撃または摩擦に対してマグネットの保護を構成するので、摩擦への抵抗が増加する。このベアリングは、ネジと他の表面に対しての摩擦をさけるために、マグネットの表面を部分的にまたは完全にカバーする前面に拡げることもできる。
【００３３】
付加的な適用によって、ドライバの棒に沿った管状部材の置き換えの可能性は、修正をすること、または反復性の測定を必要とする位置を決めることのための基準測定として管状部材へその先端から保持される棒の自由な面を用いての深さの測定を実行するための使用を可能にすることである。
【００３４】
管状保持部材の別の可能な適用は、ネジの保持の機能、ドリルスピンドルにおいて先端の分解または組立が実行されねばならないとき負荷的に操作を円滑にする、ネジを保持するその機能を働かせている連結された異なるサイズに分類された先端とぎざぎざのタイプを見出せるように、交換可能な電動ドライバの先端に使用することである。この場合において、管状部材の周囲溝は、短い先端のサイズに管状部材の長さを合わせる代わりに、そこをカットするための基準としてユーザによって用いられる。
【００３５】
別の可能な適用は、管状部材は、アレンまたはトクス（Torx）スパナ等のようなＬ型のスパナに結合されたネジを保持できることである。
【００３６】
管状部材の別の適用は、別の分野に関する。すなわち、例えばシャーペンまたはボールペンのような筆記用具用のグリップ部材として適応してもよく、それは、筆記用具上に単純に挿入して適当な高さで位置を決め、書くまたは描くことに使う指用の保持部材を構成し、サポートしている指の水ぶくれができるのを防ぎ、書いている間の疲労を減らす。同様に、服の汚れまたはこびりつきを避けるばかりでなく芯の破損の可能性を避けるシャーペンの場合において、筆記用具に沿って移動する可能性のために、前記用具の筆記先端をカバーする端の位置で覆いとして用いられてもよい。
【００３７】
この適用のため、管状部材は、マグネットを持たず、内側のキャビティは、例えば筆記用具の断面によりよく適合するため、三角形のまたは六角形の断面が取り入れられる。
【００３８】
管状部材は、一方の端が他方よりも薄いという事実のため、どちらの方向で筆記用具に配置されてもよい。こにより、ユーザーが右利きか左利きか、指が大きいか小さいかに依存して、書くのに最も苦痛のないところに指を置くことで、ユーザーは２つの可能な筆記姿勢の何れかを選択することができる。
【００３９】
同様に、この管状部材の使用範囲内で、管状部材は、筆記用具の両端で使用できることを指摘しなければならない。「ペンシルスピンニング」とよばれる、ますます広く遊ばれるようになっているバランスゲームをするため、筆記用具のそれぞれの端の１つで、管状部材の２つのユニットが必要とされる。
【００４０】
この目的のため適応された材料で発明された管状部材の別の可能な適用は、消しゴムとして筆記先端の反対側のシャーペンの端でその使用を行うことである。幾何学上であって次元の構成は、消す操作を円滑する人間工学的な保持を可能にする。
【００４１】
この場合において、管状部材の他の端において、小さなドリルが、偶然に受け入れられたイベントで詰まることを避けることをその目的と定義されている間、開口部の１つは、シャーペンの自由な端に結合するため構成される。この適用において、管状部材は、ペンの芯を保護する先端に配置されてもよい。
【００４２】
計画された適用が何であっても提供される。同じ製造型は、その使用の全てにおいて一定である外面を構成するため用いられて、異なる適用を修正するため提供された異なるドリルを生成するために用いられる。
〔図面の簡単な説明〕
行なわれている記述を完了するには、本発明の特徴のよりよい理解を助ける目的で、事実上の具体化の好ましい例によって、それの完全な部分として付随する前記説明を、実例として制限的にではなく一組の図面で、次のように表わさす：
〔図１〕本発明の管状部材オブジェクトの側面図を示す。
〔図２〕本発明のドライバへ結合された管状部材の斜視図を示す。
〔図３〕マグネットなしで機械化された適用のために管状部材の可能な実施例の断面側面図を示す。
〔図４〕ネジと結合されたドライバとその頭の排除と、グリップを円滑にする部分を広げるネジを観察できる図３の実施例の断面図を示す。
〔図５〕反対の開口部と結合した図４の実施例より大きいネジを観察できる図３の実施例の断面図を示す。
〔図６〕内側にマグネットを結合させた管状部材の断面図を示す。
〔図７〕磁力により配置されたネジの頭でドライバと結合された図６の管状部材を示す。
〔図８〕マグネットの保護ベアリングを相補的に組み込んだマグネットを備えた管状部材の断面図を示す。
〔図９〕アレンスパナーに適応した管状部材を示す。
〔図１０〕ドライバの先端に結合する管状部材を示す。
〔図１１〕ハンマーで釘を打つことに適合した釘ホルダーとして適用する管状部材を示す。
〔図１２〕同じように、釘を保持する管状部材を示すが、ドライバに適用されている例を示す。
〔図１３〕シャープペンに適用するために別の結合構造で管状部材の断面の実施例を示し、その断面が六角形を示す。
〔図１４〕一方向にシャーペンに適用した管状部材の斜視図を示す。
〔図１５〕逆方向にシャーペンに適用した管状部材の斜視図を示す。
〔図１６〕シャーペンの先を覆って結合した管状部材を示す。
〔図１７〕消しゴムとして適用する管状部材の別の実施例の断面図を示す。
〔図１８〕消しゴムの機能を持って結合した管状部材を持つシャーペンの図を示す。
〔図１９〕消す行動中シャーペンの頭に管状部材の描写を示す。
〔図２０〕ボルトでその配置を補助するためのマグネットによってナットを保持するドライバに結合された管状部材の適用を示す。
〔図２１〕ハンマーでその使用を円滑するにするためと前記ハンマーをつるすために適用された管状部材の斜視図を示す。
〔図２２〕ねじるまたはゆるめる操作中、正確なグリップと回転行為を補助する位置でドライバに結合された管状部材の適用の図を示す。
〔発明の望ましい実施形態〕
図に照らして、本発明の管状保持部材オブジェクトのいくつかの実施例では、例えば道具として、図２に示すようなドライバ（２０）だけでなく、図１５で見られるように、筆記用具（３０）のグリップを容易にするため、または、図１９で見られるように、消しゴムとして本発明を特に適用している点を開示している。
【００４３】
図３は、管状保持部材が、２つの開口部（１、１０）から対応するキャビティ端（２、３）を備えていていることを示している。管状保持部材は、半径方向の断面において、減少した厚みと一定の厚みの幾つかの伸縮性部材の拡張表面を有している。図１に示すように、周囲溝（１４）により定義された顕著なでこぼこ形状の第一ストレッチ部（５）によって特徴付けられ、ドライバの棒へその配置と位置の調節を容易にするため縦のたわみ性を生じさせる。上記のように、周囲でこぼこ形状のトレッチ部（５）は、管状部材の保持を容易にするために凸型の形状をしている。
【００４４】
管状部材の外側表面もまた中間ストレッチ部（６）と末端ストレッチ部（７）を有し、ドーム型の構成を有するのが好ましい。
【００４５】
図３に見られるように、第１開口部（１０）から始まり、第１キャビティ（３）の内側、ベンド（１２）は、図４に見られる、ネジ（１３）の頭の結合を容易にする前記第１キャビティ（３）の広がり具合を決定することを定義している。第１キャビティ（３）の延長として前記ベンド（１２）の後、第３のまたは中間キャビティ（４）が図３に見られる。
【００４６】
末端ストレッチ部（７）は、図１に見られるように、ジョイント（１１）を収容するための周囲の溝（９）が組み込まれている。管状部材の柔軟性で結合された、このジョイント（１１）は、図５に示すうように、第２キャビティ（２）における第２開口部（１）を通して、より大きなネジ（１５）の頭の結合を容易にする。ジョイント（１１）の位置に一致した後、より大きなネジ（１５）の頭を保持する図５に見られるような、わずかな弾力性のある変形が生じる。
【００４７】
図６は、管状保持（グリップ）部材にマグネット（８）が収容された実施例を示す。このケースにおいて、マグネット（８）を収容するために意図された第２開口部（１）から内側に突出した第２キャビティ（２）を有する。前記図６において、第２キャビティ（２）に近接した、別の付加的なキャビティ（１６）が見られる。キャビティ（１６）は、バネ効果を改良するばかりでなく第２のキャビティ（２）へマグネット（８）をリンクするのに用いられる過度の粘着性の材料を受けることを意図したものである。
【００４８】
このケースにおいて、図６に見られるように、ジョイント（１１）はキャビティ（２）の内側のマグネット（８）の固定を補助する。
【００４９】
図８は、マグネットを保護するためマグネット（８）の内側に位置を与えられたベアリング（１７）を組み込む管状保持部材の解決策を示している。
【００５０】
図２０は、ドライバ（２０）に結合された管状部材が、それをネジはじめてゆがんだ位置にそれを残すとき、最初のねじ山を通過しないように、マグネット（８）によって、ボルト上の正しい位置に置くこと、そして、最初にねじることを容易にするために、にナット（１８）をひきつけることを可能にする。
【００５１】
他方、図１３は、図１５に見られるようなシャーペン（３０）との結合を促進する第１キャビティ（３）で六角形の断面を組み込む管状部材の別の実施例を示す。
【００５２】
図１７は、第１キャビティ（３）がとても小さくて、ふさがらないセキュリティ機能で固定されていることが見られる、消しゴムとして適用するため管状部材の別の実施例を示す。同様に、このケースにおいて、中間キャビティ（４）は、頭を切って短くした円錐形の構成を持ち、ペンをカバーするためペンの先の円錐形の形へこの中間キャビティ（４）を通してこの消しゴムの適応を、容易にする。
【図面の簡単な説明】
【００５３】
【図１】本発明の管状部材オブジェクトの側面図を示す。
【図２】本発明のドライバへ結合された管状部材の斜視図を示す。
【図３】マグネットなしで機械化された適用のために管状部材の可能な具体例の断面側面図を示す。
【図４】ネジと結合されたドライバとその頭の排除と、グリップを容易にする部分を広げるネジを観察できる図３からの具体例の断面図を示す。
【図５】反対の開口部と結合した図４から、より大きいネジを観察できる図３からの具体例の断面図を示す。
【図６】内側におけるマグネットを結合させる管状部材の断面図を示す。
【図７】磁力により配置されたネジの頭でドライバと結合された図６からの管状部材を示す。
【図８】マグネットの保護ベアリングを相補的に組み込んだマグネットをもつ管状部材の断面図を示す。
【図９】アレンスパナーに適応した管状部材を示す。
【図１０】ドライバの先端に結合する管状部材を示す。
【図１１】ハンマーで釘を打つことを容易にするための釘ホルダーとして適用する管状部材を示す。
【図１２】釘を持つが、ドライバに適用される同じアプリの管状部材を示す。
【図１３】シャープペンに適用するために別の結合構造で管状部材の断面の実施例を示す断面図または、六角形の断面図を示す。
【図１４】一方向にシャーペンに適用する管状部材の斜視図を示す。
【図１５】逆方向にシャーペンに適用する管状部材の斜視図を示す。
【図１６】シャーペンの先を覆って結合する管状部材を示す。
【図１７】消しゴムとして適用する管状部材の別の実施例の断面図を示す。
【図１８】消しゴムの機能を持って結合した管状部材を持つシャーペンの図を示す。
【図１９】消す行動中シャーペンの頭に管状部材の描写を示す。
【図２０】ボルトでその配置を補助するためのマグネットによってナットを保持するドライバを結合された管状部材の適用を示す。
【図２１】ハンマーでその使用を容易にするためと前記ハンマーをつるすためその適用において管状部材の斜視図を示す。
【図２２】ねじるまたはゆるめる操作中、正確なグリップと回転行為を補助する位置でドライバに結合された管状部材の適用の図を示す。
【図１】
2014514171.tif 000003
【図２】
2014514171.tif 000004
【図３】
2014514171.tif 000005
【図４】
2014514171.tif 000006
【図５】
2014514171.tif 000007
【図６】
2014514171.tif 000008
【図７】
2014514171.tif 000009
【図８】
2014514171.tif 000010
【図９】
2014514171.tif 000011
【図１０】
2014514171.tif 000012
【図１１】
2014514171.tif 000013
【図１２】
2014514171.tif 000014
【図１３】
2014514171.tif 000015
【図１４】
2014514171.tif 000016
【図１５】
2014514171.tif 000017
【図１６】
2014514171.tif 000018
【図１７】
2014514171.tif 000019
【図１８】
2014514171.tif 000020
【図１９】
2014514171.tif 000021
【図２０】
2014514171.tif 000022
【図２１】
2014514171.tif 000023
【図２２】
2014514171.tif 000024
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
取り外し可能な管状保持部材は、曲げやすい物質からなり、その半径方向断面において、それぞれ一定な厚みの幾つかのストレッチ部からなる外面を含み、
平行な複数の周囲溝（１４）によって定義されたでこぼこ形状の第一ストレッチ部（５）と、
中間ストレッチ部（６）と、
周囲溝（９）を有する末端ストレッチ部（７）とを含み、
内側の第１キャビティ（３）からはじまる第１開口部（１０）と、
内側の第２キャビティ（２）からはじまる第２開口部（１）とを含み、
上記第１キャビティ（３）においてベンド（１２）が形成され、このベンド（１２）が、ねじ（１３）の頭との連結を円滑にするために、中間キャビティ（４）に到達するまで上記第１キャビティ（３）の拡大を決定することを特徴とする取り外し可能な管状保持部材。
【請求項２】
上記周囲溝（９）は、ジョイント（１１）を収容することを特徴とする請求項１に記載の取り外し可能な管状保持部材。
【請求項３】
上記第２キャビティ（２）に、マグネット（８）が収容されていることを特徴とする請求項１または２に記載の取り外し可能な管状保持部材。
【請求項４】
上記マグネット（８）は、管状の筒型構造であることを特徴とする請求項３に記載の取り外し可能な管状保持部材。
【請求項５】
上記マグネット（８）の内側に形成されたベアリング（１７）を追加したことを特徴とする請求項３または４に記載の取り外し可能な管状保持部材。
【請求項６】
上記マグネット（８）は、第２キャビティ（２）に固定されていることを特徴とする請求項３に記載の取り外し可能な管状保持部材。
【請求項７】
上記第２キャビティ（２）に隣接した別のキャビティ（１６）を追加したことを特徴とする請求項６に記載の取り外し可能な管状保持部材。
【請求項８】
上記第１キャビティ（３）は、断面略６角形であることを特徴とする請求項１に記載の取り外し可能な管状保持部材。
【請求項９】
上記第１キャビティ（３）は、上記第２キャビティ（２）の直径よりも小さな直径の円筒断面形状であることを特徴とする請求項１に記載の取り外し可能な管状保持部材。
【請求項１０】
上記でこぼこストレッチ部（５）は、凸状構造を有していることを特徴とする請求項１に記載の取り外し可能な管状保持部材。
【国際調査報告】
2014514171.tif 000025
2014514171.tif 000026
2014514171.tif 000027
2014514171.tif 000028
2014514171.tif 000029
2014514171.tif 000030